(57)【要約】【課題】透過率を変更可能として利便性を向上させることを可能とする。【解決手段】一方の面側から主に光Ｌ１を出射し、また、外部からの光Ｌ２，Ｌ３を透過する透過型有機ＥＬパネル１００と、透過型有機ＥＬパネル１００の前記一方の面と対向する面側に設けられ、光の透過率を変更可能な透過率可変部と、を備えてなる。前記透過率可変部は、一対の透明電極２１ａ，２２ａの間に液晶マイクロカプセル２３が分散された層２４を狭持してなるＮＣＡＰ液晶２００からなる。【選択図】  図１
2016029613.tif 000002
【特許請求の範囲】
【請求項１】
一方の面側から主に光を出射し、また、外部からの光を透過する透過型有機ＥＬパネルと、
前記透過型有機ＥＬパネルの前記一方の面と対向する面側に設けられ、光の透過率を変更可能な透過率可変部と、
を備えてなることを特徴とする照明装置。
【請求項２】
前記透過率可変部は、一対の透明電極の間に透過率可変層を狭持してなることを特徴とする請求項１に記載の照明装置。
【請求項３】
前記透過型有機ＥＬパネルとともに前記透過率可変部を挟むように他の透過型有機ＥＬパネルを配置してなることを特徴とする請求項１または請求項２に記載の照明装置。
【請求項４】
前記透過型有機ＥＬパネル及び前記他の透過型有機ＥＬパネルに、前記透明電極が形成されてなることを特徴とする請求項３に記載の照明装置。
【請求項５】
前記透過率可変部は、高分子分散型液晶あるいはエレクトロクロミック素子からなることを特徴とする請求項１から請求項４の何れかに記載の照明装置。
【発明の詳細な説明】
【技術分野】
【０００１】
本発明は、有機ＥＬ（Electro-Luminescence）パネルを用いた照明装置に関する。
【背景技術】
【０００２】
従来、有機材料によって形成される自発光素子として知られる有機ＥＬ素子は、例えば、ＩＴＯ（Indium  Tin  Oxide）等からなる陽極と、少なくとも有機発光層を有する有機層と、アルミニウム（Ａｌ）等からなる非透光性の陰極と、を順次積層してなるものである（例えば特許文献１参照）。
【０００３】
かかる有機ＥＬ素子は、陽極から正孔を注入し、また、陰極から電子を注入して正孔及び電子が前記有機発光層にて再結合することによって光を発するものである。有機ＥＬ素子はディスプレイに採用されるほか、近年では面発光照明としても開発が進められている。
【先行技術文献】
【特許文献】
【０００４】
【特許文献１】特開昭５９−１９４３９３号公報
【特許文献２】特開２０１１−２４９５４１号公報
【発明の概要】
【発明が解決しようとする課題】
【０００５】
また、有機ＥＬパネルとして、例えば特許文献２に開示される透過型片面発光パネルが知られている。かかる透過型片面発光パネルは、光を放出する光放出部と、光を透過させる光透過部と、を有する透過発光領域を備え、光放出部に発光部と遮光層を有し、発光部からの光を一方の面側から放出するとともに、他方の面側に向かう光を遮光層で遮蔽するものである。そして、一方の面側からは、発光パネルが非点灯である場合には、光透過部を介して背景を視認することができ、発光パネルが点灯する場合には、光放出部からの光によって背景を視認することができなく（視認しにくく）なる。これに対し、他方の面側からは、発光パネルの点灯・非点灯に係わらず光透過部を介して背景を視認することができる。かかる透過型片面発光パネルは建物の照明や読書灯など様々に利用することができる。
【０００６】
しかしながら、特許文献２に開示される透過型片面発光パネルは、点灯・非点灯に係わらず透過率は一定であり、特に他方の面側からの見え方を変えることができず利便性の向上の点でなお改良の余地があった。
【０００７】
そこで本発明は、この問題に鑑みてなされたものであり、透過率を変更可能として利便性を向上させることが可能な照明装置を提供することを目的とする。
【課題を解決するための手段】
【０００８】
本発明の照明装置は、前述の課題を解決するために、一方の面側から主に光を出射し、また、外部からの光を透過する透過型有機ＥＬパネルと、
前記透過型有機ＥＬパネルの前記一方の面と対向する面側に設けられ、光の透過率を変更可能な透過率可変部と、
を備えてなることを特徴とする。
【発明の効果】
【０００９】
本発明によれば、透過率を変更可能として利便性を向上させることが可能となる。
【図面の簡単な説明】
【００１０】
【図１】本発明の第１の実施形態である照明装置を示す断面図。
【図２】同上照明装置の有機ＥＬパネルを示す背面図。
【図３】同上照明装置の有機ＥＬパネルとＮＣＡＰ液晶の状態と照明装置の見え方との対応関係を示す図。
【図４】本発明の第２の実施形態である照明装置を示す断面図。
【図５】本発明の第３の実施形態である照明装置を示す断面図。
【発明を実施するための形態】
【００１１】
以下、添付図面に基づいて本発明を適用した第１の実施形態について説明する。
【００１２】
図１は、本実施形態である照明装置１の断面図である。照明装置１は、有機ＥＬパネル１００と、ＮＣＡＰ（Nematic  Curvilinear Aligned Phases）液晶２００と、を備える。なお、図１においては、下側を「前」、上側を「後」として説明する。
【００１３】
図２は、有機ＥＬパネル１００を示す背面図である。なお、図２においては封止基板１８の配置個所を点線で示している。
【００１４】
有機ＥＬパネル１００は、図１及び図２に示すように、支持基板１１と、透明電極である第１電極１２と、絶縁膜１３と、有機層１４と、反射電極である第２電極１５と、第１電極配線部１６と、第２電極配線部１７と、封止基板１８と、から主に構成される。第１電極１２と有機層１４と第２電極１５とが積層された略矩形状の領域は、透過発光部（有機ＥＬ素子）１０を構成する。
【００１５】
支持基板１１は、例えば透光性の無アルカリガラスからなる矩形状の基板である。なお、アルカリガラス等のその他のガラス基板を用いてもよく、ガラス厚についても特に限定されない。また、透明な樹脂基板を用いても良い。支持基板１１の背面上には、第１電極１２、第１電極配線部１６及び第２電極配線部１７が形成され、さらに、絶縁膜１３、有機層１４及び第２電極１５が順に積層形成される。また、第１電極配線部１６は第１電極１２と電気的に接続され、第２電極配線部１７は第２電極１５と電気的に接続される。
【００１６】
第１電極１２は、本実施形態では正孔を注入する陽極となるものであり、支持基板１１上にＩＴＯあるいはＡＺＯ（Aluminum  Zinc  Oxide）等の透明導電材料をスパッタリング法等の手段によって５０〜５００ｎｍの膜厚で層状に形成し、フォトリソグラフィー法等の手段によって所定の形状にパターニングしてなる透明電極である。第１電極１２は、第１電極配線部１６及び第２電極配線部１７と同一の透明導電材料を用いて同工程で形成され、第１電極配線部１６と一体的に形成されることで第１電極配線部１６と電気的に接続される。また、第１電極１２、第１電極配線部１６及び第２電極配線部１７は、その表面がＵＶ／Ｏ３処理やプラズマ処理等の表面処理を施される。
【００１７】
絶縁膜１３は、第１電極１２のエッジ（外側領域）、第１電極配線部１６の内側領域及び第２電極配線部１７の内側領域を含む支持基板１１の周辺領域を覆うものであり、例えばポリイミド系やフェノール系の絶縁材料をスピンコート法等の手段によって１．０μｍ程度の膜厚で層状に形成し、フォトリソグラフィー法で所望の形状にパターニングしてなる。絶縁膜１３は、第１電極１２の中央領域を平面視略矩形状に露出させて透過発光部１０の形状を画定する開口部１３ａと、第２電極配線部１７の内側領域を一部露出させて第２電極１５を第２電極配線部１７と電気的に接続させる略Ｌ字のスリット状のコンタクトホール部１３ｂと、を有する。なお、コンタクトホール部１３ｂは、例えば矩形状に形成された孔部が複数略Ｌ字状に配置されるものであってもよい。
【００１８】
有機層１４は、少なくとも有機材料からなる有機発光層を含む単層あるいは多層からなり、例えば６０〜１５０ｎｍ程度の膜厚で第１電極１２上に形成されるものである。多層構造の一例としては、第１電極１２側から順に正孔注入輸送層、第１の有機発光層、第２の有機発光層、電子輸送層及び電子注入層が積層形成される。なお、有機発光層は単一でもよく、また、他に層が付加されるものであってもよく、また、一部の層が含まれないものであってもよい。有機層１４は、真空蒸着法によって形成され、所定の開口部を有する蒸着マスクを介して支持基板１１の背面側に所望の形状で形成される。有機層１４は、第１電極１２を覆うと共に第２電極配線部１７とコンタクトホール部１３ｂを介して接触しないように、その端部が第１電極１２と第２電極配線部１７との間に位置するように平面視略矩形状に形成される（図１及び図２参照）。
【００１９】
第２電極１５は、本実施形態では電子を注入する陰極となるものであり、有機層１４上に例えばＡｌ，マグネシウム（Ｍｇ），コバルト（Ｃｏ），Ｌｉ，金（Ａｕ），銅（Ｃｕ），亜鉛（Ｚｎ）等の低抵抗導電材料を膜厚５０〜２００ｎｍの層状に形成した導電膜からなる反射電極である。第２電極１５は、真空蒸着法によって形成され、所定の開口部を有する蒸着マスクを介して支持基板１１の背面側に所望の形状で形成される。第２電極１５は、第１電極１２を覆うと共に第２電極配線部１７とコンタクトホール部１３ｂを介して接触するように、その端部が第２電極配線部１７の内側領域と重なるように形成される（図１及び図２参照）。さらに、第２電極１５は、少なくとも透過発光部１０に対応する部分をストライプ状に形成し、第２電極１５が形成される個所と第２電極１５が形成されないスリット部１５ａとが交互に配置されている。なお、第２電極１５の透過発光部１０に対向する部分を格子状に形成し、第２電極１５が形成される個所と第２電極１５が形成されない個所（孔部）とが交互に配置されるようにしてもよい。
【００２０】
第１電極配線部１６は、前述のように第１電極１２及び第２電極配線部１７と同一の透明導電材料でかつ同工程で形成される電極（陽極）配線部である。第１電極配線部１６は、第１電極１２と一体的に形成されることで第１電極１２と電気的に接続される。第１電極配線部１６は、平面視略矩形状の支持基板１１の４つの端部（辺）に沿って、各端部の略中央領域に平面視略矩形状にそれぞれ形成され、支持基板１１の背面上に複数（４つ）の第１電極配線部１６が発光部１０をそれぞれ異なる方向（４方向）から囲むように配置される格好となる。
【００２１】
第２電極配線部１７は、前述のように第１電極１２及び第１電極配線部１６と同一の透明導電材料でかつ同工程で形成される電極（陰極）配線部である。第２電極配線部１７は、絶縁膜１３の第２電極配線部１７の内側領域と重なる個所に形成されるコンタクトホール部１３ｂを介して第２電極１５と接触することで第２電極１５と電気的に接続される。第２電極配線部１７は、支持基板１１の４つの角部に沿って平面視略「Ｌ」字状にそれぞれ形成され、支持基板１１の背面上に複数（４つ）の第２電極配線部１７が発光部１０をそれぞれ異なる方向（４方向）から囲むように配置される格好となる。このように、第１電極配線部１６と第２電極配線部１７とがそれぞれ複数の方向で第１電極１２と第２電極１５と接続されることで、複数の方向から透過発光部１０に電流が供給され、第１電極１２あるいは第２電極１５の抵抗によって発光面に輝度ムラが生じることを抑止して輝度の均一化を向上させることができる。
【００２２】
封止基板１８は、例えばガラス材料からなり、成型、サンドブラスト、切削あるいはエッチング等の適宜方法で凹形状に形成してなるものである。封止基板１８は、接着剤１８ａを介して支持基板１１上に気密的に配設され、透過発光部１０が封止される。なお、封止基板１８は平板状であってもよく、この場合はスペーサーを介して支持基板１１上に接着される。封止基板１８の透過発光部１０との対向面には吸湿剤１８ｂが配設される。また、支持基板１１と封止基板１８とで形成される封止空間Ｓ内には不活性液体１８ｃが充填される。
【００２３】
接着剤１８ａは、例えば紫外線硬化性エポキシ樹脂からなる。接着剤１８ａは、封止基板１８を支持基板１１上に気密的に配設する。
【００２４】
吸湿剤１８ｂは、例えば酸化ストロンチウム（ＳｒＯ）や酸化カルシウム（ＣａＯ）あるいは酸化バリウム（ＢａＯ）等からなる吸湿剤であり、封止空間Ｓ内の水分を吸着する。本実施形態においては、吸湿剤１８ｂは透明である。透明な吸湿剤としては例えば双葉電子社製のＯｌｅＤｒｙなどがある。なお、吸湿剤１８ｂは、不活性液体１８ｃに含有されるものであってもよい。
【００２５】
不活性液体１８ｃは、例えばシリコンオイルからなり、透過発光部１０を収納する封止空間Ｓ内に充填される。不活性液体１８ｃは、水分が透過発光部１０に到達する時間を遅らせて有機層１４の劣化を抑制する効果に加え、透過発光部１０が発する熱を外部に伝達する放熱効果や、有機ＥＬパネル１００における反射面（空気層との界面）を低減して外光の映り込みを抑制する効果がある。
【００２６】
以上のように、有機ＥＬパネル１００が構成される。
透過発光部１０において、第２電極１５が形成された個所は、第１電極１２と第２電極１５とで有機層１４を狭持してなる発光部となり、第１電極配線部１６及び第２電極配線部１７を介して両電極１２，１５間に電圧を印加すると、前記発光部において有機層１４（の有機発光層）が発光する。そして透過発光部１０から発せられた光Ｌ１は、図１に示すように支持基板１１の前面側から外部に出射される一方、封止部材１８の背面側からは第２電極１５で反射されて外部にほとんど出射しない。また、透過発光部１０において、第２電極１５のスリット部１５ａからは有機ＥＬパネル１００の背面側からの光Ｌ２あるいは前面側からの光Ｌ３を透過する。すなわち、有機ＥＬパネル１００は、前面側から主に光Ｌ１を出射し、また、外部からの光Ｌ２，Ｌ３を透過する、いわゆる透過型（シースルー）片面発光有機ＥＬパネルであり、照明装置１の光源となる。
【００２７】
ＮＣＡＰ液晶２００は、例えばＩＴＯからなる一対の透明電極２１ａ，２２ａがそれぞれ形成された透明導電シート２１，２２の間に、ネマティック型の液晶をマイクロカプセル化した液晶マイクロカプセル２３が分散された層（透過率可変層）２４を狭持してなり、本発明の光透過率可変部として機能する。ＮＣＡＰ液晶２００は、透明な接着層（図示しない）を介して、有機ＥＬパネル１００の封止基板１８の背面側に配設される。ＮＣＡＰ液晶２００は、一対の透明電極２１ａ，２２ａ間に電圧が印加されない状態（オフ状態）においては、カプセルの内壁に沿って配向する液晶とカプセルとの界面での屈折率の差異によって、層２４に入射する光Ｌ２，Ｌ３が散乱して曇りガラスのように全体が乳白色（不透過）に見え、背景を透過しない。また、一対の透明電極２１ａ，２２ａ間に所定の電圧が印加された状態（オン状態）にいては、液晶分子が透明電極２１ａ，２２ａに対して垂直に配向し、液晶とカプセルとの屈折率を等しくしておけば層２４に入射する光Ｌ２．Ｌ３は散乱せずに直進し、全体が透明に見え、背景を透過する。このように、ＮＣＡＰ液晶２００に対する電圧のオン・オフを切り替えることによって、照明装置１の光透過率を変更することができる。なお、ＮＣＡＰ液晶２００は、有機ＥＬパネル１００（の封止基板１８）に直接透明電極２１ａが形成され、その上に層２４及び透明電極２２ａが積層されてなるものであってもよい。
【００２８】
次に、かかる構成の照明装置１の利用方法について、照明装置１を建物の窓に設置した場合を例に挙げて説明する。図３は、有機ＥＬパネル１００及びＮＣＡＰ液晶２００の状態と照明装置１の見え方の対応関係を示す表である。なお、照明装置１は前記建物の内側を照明するものであり、前記建物の内側が照明装置１の前側、すなわち有機ＥＬパネル１００側であり、前記建物の外側が照明装置１の後側、すなわちＮＣＡＰ液晶２００側であるものとする。
【００２９】
（第１のケース）
有機ＥＬパネル１００を点灯させ、ＮＣＡＰ液晶２００をオン状態とすると、前記建物の内側からは照明装置１が発光して見え、前記建物の外側からは照明装置１が内側を透過して見える。
【００３０】
（第２のケース）
有機ＥＬパネル１００を非点灯とし、ＮＣＡＰ液晶２００をオン状態とすると、前記建物の内側からは照明装置１が外側を透過して見え、前記建物の外側からも照明装置１が内側を透過して見える。
【００３１】
（第３のケース）
有機ＥＬパネル１００を点灯させ、ＮＣＡＰ液晶２００をオフ状態とすると、前記建物の内側からは照明装置１が発光して見え、前記建物の外側からは照明装置１が内側を遮って（不透過に）見える。
【００３２】
（第４のケース）
有機ＥＬパネル１００を非点灯とし、ＮＣＡＰ液晶２００をオフ状態とすると、前記建物の内側からは照明装置１が外側を遮って（不透過に）見え、前記建物の外側からも照明装置１が内側を遮って（不透過に）見える。
【００３３】
このように、照明装置１は、有機ＥＬパネル１００の点灯あるいは非点灯とＮＣＡＰ液晶２００のオン状態あるいはオフ状態との組み合わせによって、有機ＥＬパネル１００のみである従来からの第１，第２のケースに加えて、第３，第４のケースのように、背面側からの見え方を変更することができる。また、第４のケースのように、有機ＥＬパネル１００が非点灯の場合にも前面側からの見え方を変更することができる。
【００３４】
本実施形態における照明装置１は、一方の面側から主に光Ｌ１を出射し、また、外部からの光Ｌ２，Ｌ３を透過する透過型有機ＥＬパネル１００と、透過型有機ＥＬパネル１００の前記一方の面と対向する面側に設けられ、光の透過率を変更可能な透過率可変部（ＮＣＡＰ液晶２００）と、を備えてなる。
これによれば、照明装置１の光透過率を変更でき、背面側からの見え方のバリエーションを増やして利便性を向上させることができる。
【００３５】
次に、図４を用いて本発明の第２の実施形態について説明する。なお、前述の実施形態と同一あるいは相当個所には同一符号を付してその詳細は省略する。図４は、本実施形態である照明装置２の断面図である。なお、図４においては、下側を「前」、上側を「後」として説明する。
【００３６】
照明装置２は、第１の有機ＥＬパネル１０１と、第２の有機ＥＬパネル１０２と、ＮＣＡＰ液晶２０１と、を備える。
【００３７】
第１の有機ＥＬパネル１０１は、照明装置２の前側に配置され、透過発光部１０から発せられた光Ｌ１を主に照明装置１の前側から外部に出射し、また、外部からの光Ｌ２，Ｌ３及び第２の有機ＥＬパネル１０２からの光Ｌ４を透過する、透過型片面発光有機ＥＬパネルであり、照明装置１の光源となる。また、第１の有機ＥＬパネル１０１は、封止基板１８の背面側に後述するＮＣＡＰ液晶２０１の透明電極２１ａが形成されている。
【００３８】
第２の有機ＥＬパネル１０２は、照明装置２の後側に支持基板１１が前側に位置するように配置され、透過発光部１０から発せられた光Ｌ４をＮＣＡＰ液晶２０１及び第１の有機ＥＬパネル１０１を介して照明装置１の前側から外部に出射し、また、外部からの光Ｌ２，Ｌ３を透過する、透過型片面発光有機ＥＬパネルであり、照明装置１の光源となる。また、第２の有機ＥＬパネル１０２は、支持基板１１の前面側に後述するＮＣＡＰ液晶２０１の透明電極２２ａが形成されている。
【００３９】
ＮＣＡＰ液晶２０１は、一対の透明電極２１ａ，２２ａがそれぞれ形成された第１，第２の有機ＥＬパネル１０１，１０２の間に、ネマティック型の液晶をマイクロカプセル化した液晶マイクロカプセル２３が分散された層２４を狭持してなり、本発明の光透過率可変部として機能する。ＮＣＡＰ液晶２０１を得る方法としては、例えば、第１の有機ＥＬパネル１０１の透明電極２１ａ上に液晶とポリマーを攪拌して得たエマルジョンを塗布し、さらに乾燥させて層２４を形成し、その後に第１の有機ＥＬパネル１０１と第２の有機ＥＬパネル１０２とを接着剤（図示しない）を介して接着する。
【００４０】
照明装置２は、透過型有機ＥＬパネル（第１の有機ＥＬパネル１０１）とともに透過率可変部（ＮＣＡＰ液晶２０１）を挟むように他の透過型有機ＥＬパネル（第２の有機ＥＬパネル１０２）を配置してなる。また、前記他の透過型有機ＥＬパネルは、その光Ｌ４の出射方向が前記透過型有機ＥＬパネル側となるように配置されてなる。
かかる構成によれば、第１の有機ＥＬパネル１０１と第２の有機ＥＬパネル１０２とを同時に点灯させることで、単一の有機ＥＬパネルのみの場合と比較してより高輝度での発光が可能な照明装置２を得ることができる。
【００４１】
また、前記透過型有機ＥＬパネル及び前記他の透過型有機ＥＬパネルに、透明電極２１ａ，２２ａが形成されてなる。
これによれば、ＮＣＡＰ液晶２０１の部品点数を低減して照明装置２を薄型化することができる。
【００４２】
次に、図５を用いて本発明の第３の実施形態について説明する。なお、前述の実施形態と同一あるいは相当個所には同一符号を付してその詳細は省略する。図５は、本実施形態である照明装置３の断面図である。なお、図５においては、下側を「前」、上側を「後」として説明する。
【００４３】
照明装置３は、第１の有機ＥＬパネル１０１と、第２の有機ＥＬパネル１０２と、ＮＣＡＰ液晶２０１と、を備える。
【００４４】
第１の有機ＥＬパネル１０１は、照明装置２の前側に配置され、透過発光部１０から発せられた光Ｌ１を主に照明装置１の前側から外部に出射し、また、外部からの光Ｌ２，Ｌ３及び第２の有機ＥＬパネル１０２からの光Ｌ４を透過する、透過型片面発光有機ＥＬパネルであり、照明装置１の光源となる。また、第１の有機ＥＬパネル１０１は、封止基板１８の背面側に後述するＮＣＡＰ液晶２０１の透明電極２１ａが形成されている。
【００４５】
第２の有機ＥＬパネル１０２は、照明装置２の後側に封止基板１８が前側に位置するように配置され、透過発光部１０から発せられた光Ｌ４を照明装置１の後側から外部に出射し、また、外部からの光Ｌ２，Ｌ３を透過する、透過型片面発光有機ＥＬパネルであり、照明装置１の光源となる。また、第２の有機ＥＬパネル１０２は、封止基板１８の前面側に後述するＮＣＡＰ液晶２０１の透明電極２２ａが形成されている。
【００４６】
ＮＣＡＰ液晶２０１は、一対の透明電極２１ａ，２２ａがそれぞれ形成された第１，第２の有機ＥＬパネル１０１，１０２の間に、ネマティック型の液晶をマイクロカプセル化した液晶マイクロカプセル２３が分散された層２４を狭持してなり、本発明の光透過率可変部として機能する。ＮＣＡＰ液晶２０１を得る方法としては、例えば、第１の有機ＥＬパネル１０１の透明電極２１ａ上に液晶とポリマーを攪拌して得たエマルジョンを塗布し、さらに乾燥させて層２４を形成し、その後に第１の有機ＥＬパネル１０１と第２の有機ＥＬパネル１０２とを接着剤（図示しない）を介して接着する。
【００４７】
照明装置３は、透過型有機ＥＬパネル（第１の有機ＥＬパネル１０１）とともに透過率可変部（ＮＣＡＰ液晶２０１）を挟むように他の透過型有機ＥＬパネル（第２の有機ＥＬパネル１０２）を配置してなる。また、前記他の透過型有機ＥＬパネルは、その光Ｌ４の出射方向が前記透過型有機ＥＬパネルとは反対側となるように配置されてなる。
かかる構成によれば、第１，第２の有機ＥＬパネル１０１，１０２を点灯させることで、照明装置３の前側及び後側の２方向を照明することが可能となる。また、第２の有機ＥＬパネル１０２を点灯させると、照明装置３を後側から見ると発光して見えるため、利用方法をさらに増やすことができる。
【００４８】
以上の説明は本発明を例示するものであって、その要旨を逸脱しない範囲で種々の変更、変形（構成要素の削除を含む）が可能であることはもちろんである。本発明の透過率可変部としては、ＮＣＡＰ液晶２００，２０１に限定されず、他にＮＣＡＰ液晶以外の高分子分散型液晶（ＰＤＬＣ；polymer  dispersed  liquid  crystal）や一対の透明電極間に電圧により透過率が変化するエレクトロクロミック材料からなる層（透過率可変層）を狭持してなるエレクトロクロミック素子（ＥＣＤ；electro-chromic  device）であってもよい。本発明においては、第１電極１２が陰極であり、第２電極１５が陽極であってもよい。また、第１電極配線部１６が支持基板１１上の角部に複数設けられ、第２電極配線部１７が支持基板１１の端部の略中央領域に複数設けられる構成であってもよい。また、第１電極配線部１６及び第２電極配線部１７上（特に封止基板１８から外部に露出する外部電源との接続部上）に、Ａｌ、モリブデン（Ｍｏ）、チタン（Ｔｉ）、銀（Ａｇ）、銅（Ｃｕ）、クロム（Ｃｒ）、ニッケル（Ｎｉ）等の低抵抗金属材料あるいはこれらの合金の単層あるいは積層からなる補助配線を形成してもよい。また、第１電極１２上に上述の低抵抗金属材料あるいはこれらの合金の単層あるいは積層からなる補助電極を部分的に（例えばストライプ状に）形成してもよい。また、本発明の照明装置は、封止基板１８側から光を出射するいわゆるトップエミッション型の有機ＥＬパネルも適用可能である。
【産業上の利用可能性】
【００４９】
本発明は、有機ＥＬパネルを用いた照明装置に好適である。
【符号の説明】
【００５０】
１〜３  照明装置
１００  有機ＥＬパネル
１０１  第１の有機ＥＬパネル
１０２  第２の有機ＥＬパネル
１０  発光部
１１  支持基板
１２  第１電極
１３  絶縁膜
１４  有機層
１５  第２電極
１６  第１電極配線部
１７  第２電極配線部
１８  封止基板
２００、２０１  ＮＣＡＰ液晶（透過率可変部）
２１  透明導電シート
２１ａ  透明電極
２２  透明導電シート
２２ａ  透明電極
２３  液晶マイクロカプセル
２４  層（透過率可変層）
Ｌ１〜Ｌ４  光
【図１】
2016029613.tif 000003
【図２】
2016029613.tif 000004
【図３】
2016029613.tif 000005
【図４】
2016029613.tif 000006
【図５】
2016029613.tif 000007